(57)【要約】【課題】低コスト、低汚染、組立容易、部材が簡素化されるように発明されるソファー組立構造を提供する。【解決手段】ソファー組立構造は、主に、座り部セット１と、取っ手セット２と、バック・セット３と、固着用部材４とを有し、そのうち、前記取っ手セットの強化支柱２２１の垂直面が前記座り部セット１の左側と右側に結合されると共に、固着用部材４の通しによって取っ手セットを前記座り部セット１に連結し、また、前記バック・セット３の固定支柱３２１がすわり部セット１の後側に連結されると共に、固着用部材４の通しによってバック・セット３を座り部セット１に連結する。【選択図】    図２
2004290270.tif 000002
【特許請求の範囲】
【請求項１】
転向固定塊によって二セットの対向辺部が平行していると共に、長さが同じである横ビームを同一平面において直交アングルを有する平行四辺形に形成されるように組立てられてなり、且つ、中空状で厚みを有する方形管よりなり、当該方形管の垂直面に少なくとも二つの第一釘孔部を有する横ビームと、Ｌ字形の方形体に形成され、当該方形体の垂直面に少なくとも一つの第四釘孔部を有し、当該方形体が前記ビームの方形通孔に嵌合される場合に前記第四釘孔部が前記ビームの第一釘孔部の対応しあう箇所に合わせられるようにすることによって二つの隣り合わない横ビーム同士を連結できるように設定される転向固定塊とを具備する、座り部セットと、
前記座り部セットの両側に組立てられ、且つ直交アングルを有する方形枠フレームに形成され、当該枠フレームのある側の適所に少なくとも二本の強化支柱同士が結合される取っ手枠フレームと、両端部が前記取っ手枠フレームに垂直延伸固定され、その垂直面に少なくとも一つの第二釘孔部を有し、固着用部材を前記第二釘孔部と前記座り部セットの第一釘孔部と第四釘孔部に挿入してから前記座り部セットとを連結するようになる強化支柱とを具備する、取っ手セットと、
前記座り部セットの後側に配置され、且つ四辺形の枠フレームに形成され、当該枠フレームのある側の適所に少なくとも二本の固定支柱同士が結合されるバック枠フレームと、中空状で厚みを有する支柱であり、前記バック枠フレームに垂直固定されると共に、その垂直延伸箇所に少なくとも一つの第三釘孔部を有し、固着用部材を前記第三釘孔部と前記座り部セットの第一釘孔部と第四釘孔部に挿入することによって座り部セットとの結合を実行する固定支柱とを具備する、バック・セットと、
リベットか、ねじ山有連結部材からなる連接部材である固着用部材とを備えることを特徴とする、ソファー組立構造。
【請求項２】
後述の下斜面塊の中空状円孔の内側を貫通後に、その上におけるねじ山部が後述の上斜面塊の中心箇所の雌ねじ山と螺合するボルトと、
鉛直中心箇所に雌ねじ山が加工形成されると共に、後述の下斜面塊の傾斜する平面に対応配置される上斜面塊と、
その斜面部が前記上斜面塊の傾斜する平面と相互に接触後に、その一側が前記座り部セットの後側に固定され、且つその鉛直中心箇所に中空状円孔を有する下斜面塊と、を含む緊密的迫り挿着ピン・セットをさらに有することを特徴とする、請求項１に記載のソファー組立構造。
【請求項３】
前記バック・セットの固定支柱の通孔が前記緊密的迫り挿着ピン・セットに外嵌されることを特徴とする、請求項２に記載のソファー組立構造。
【発明の詳細な説明】
【０００１】
【発明の属する技術分野】
本発明は、ソファー組立構造に係わり、特に従来のソファーの組立構造と異なり、転向固定塊を二セットの対向辺部が平行であると共に、相同の長さを有する横ビームの方形通孔の内側に嵌合することによって一セットの直交アングルを有する平行四辺形座り部セットを形成し、それから取っ手セットを前記座り部セットの左側と右側に連結し、且つバック・セットを前記座り部セットの後側に結合し、また、前記取っ手セットと前記バック・セットとを固着用部材の通す連結加工により前記座り部セットに結合することによって、簡単な組立方式によるソファー組立構造に関するものである。
【０００２】
【従来の技術およびその課題】
従来のソファー組立構造は、例えば台湾公告第３７１８６９号の特許に開示されるような物品があり、その主要な構成の特徴は、座り部枠フレームを有し、当該座り部枠フレームが方形の枠フレームであり、当該枠フレームには平行する前板と後板とを有し、それらの前板と後板との間に直交するように配置される二枚の側板同士を有し、前記後板には少なくとも二つの第一枢着孔が形成され、且つ前記二枚の側板同士には少なくとも二つの第二枢着孔が形成され、また、座り部を有し、当該座り部が前記座り部枠フレームに架設され、座り部の両側よりそれぞれ下向いて前記座り部枠フレームの側板と固着できる位置決め片が延伸形成され、また、バック部を有し、それには前記座り部枠フレームの後板の後方に配置される支持枠フレームを有し、当該支持枠フレームには前記座り部枠フレームの第一枢着孔と軸方向において対応しあう第三枢着孔を有し、支持枠フレームと座り部枠フレームとの間を少なくとも一本の枢着ロッドによって相互に固着し、前記枢着ロッドには二つのそれぞれ軸方向において相互に接し合う第一と第二枢着孔を通す挿着ロッド部を有し、挿着後に、それぞれの挿着ロッド部にそれぞれ螺合部材を螺合し、且つ支持枠フレームの外部に支持パッドを包囲し、包囲後に前記枢着ロッドの挿着ロッド部が前記支持パッド外へ突出され、また、二本の取っ手を有し、それらが前記座り部枠フレームの両側に組立てられ、それぞれの取っ手には前記座り部枠フレームの側板外に支持される取っ手枠フレームを有し、前記取っ手枠フレームには前記座り部枠フレームの第二枢着孔と対応しあう第四枢着孔を有し、且つ相互に接しあう第二と第四枢着孔に枢着ロッドの二つの挿着ロッド部の挿着を受け、それぞれの挿着ロッド部にそれぞれ螺合部材が螺合され、且つ取っ手枠フレームの外方に二つの挿着ロッド部の突出を許容可能な取ってパッドが包まれ、且つ四本のそれぞれ二本が対応して前記二つの取っ手同士の底端部に組立てられるレッグ・ベースを有し、前記座り部を前記座り部枠フレームに装着し、且つバック部と二つの取っ手をそれぞれ前記座り部枠フレームの後板と二本の側板同士に取り付けることによってソファーの形態を形成し、当該座り部枠フレームが溶接の方式によって組立てられるものであり、その構成における主な欠点は、下記の通りである。
（１）好ましい溶接隙間を形成しにくい。
（２）溶接後に、溶接区が座り部枠フレーム本体の拘束を受けて自由に膨張及び収縮できなく、冷却後に、溶接部材において容易に溶接応力と応変を生じるようになってしまう。
（３）溶接時、容易に空気汚染を引き起こすようになる。
（４）後続の粉末塗装前処理はかなり時間がかかり、座り部枠フレームを溶接し終わると錆除去処理を実行することによって座り部枠フレームの腐食を防止または緩和する必要があるが、溶接時全体溶接を実施した座り部枠フレームに対し浴び式の錆除去処理を実施する場合、浴びた後の排水が実施しにくく、且つ溶接のコストも高くなり、また、浴び用の液体槽の体積も座り部枠フレーム全体を収納できるぐらいにならなければならないので、施工箇所のリミットを大幅に向上してしまうようになる。
（５）溶接後の座り部枠フレームに対しシャワー式の錆除去処理を採用する場合、液体槽を要しないが、その方式による錆除去効果が不十分になる場合がある。
【０００３】
そのため、前記の説明から分かるように、前記の従来の物品には依然として多くの課題を有し、好適な構造ではなく、至極改善される必要がある。
【０００４】
本発明の発明者は、前記の従来のソファー組立構造の場合の生じるそれぞれの課題に鑑みて、研究開発を進め、多年間の努力と苦労を尽くした結果、とうとう本発明の“ソファー組立構造”を提出するに至った。
【０００５】
【発明の目的】
本発明は、座り部を組み立てる際に組立後の応力と応変とを考量する必要はないと共に、組立の環境のリミットも少ない、ソファー組立構造を提供することをその主要な目的とする。
【０００６】
また、本発明は、それぞれの部材を容易にフォアーになるように組立てられるソファー組立構造を提供することをその次の目的とする。
【０００７】
【課題を解決するための手段】
前記の目的を達成するために、本発明によるソファー組立構造は、転向固定塊によって二セットの対向辺部が平行していると共に、長さが同じである横ビームを同一平面において直交アングルを有する平行四辺形に形成されるように組立てられてなり、且つ、中空状で厚みを有する方形管よりなり、当該方形管の垂直面に少なくとも二つの第一釘孔部を有する横ビームと、Ｌ字形の方形体に形成され、当該方形体の垂直面に少なくとも一つの第四釘孔部を有し、当該方形体が前記ビームの方形通孔に嵌合される場合に前記第四釘孔部が前記ビームの第一釘孔部の対応しあう箇所に合わせられるようにすることによって二つの隣り合わない横ビーム同士を連結できるように設定される転向固定塊とを具備する、座り部セットと、
前記座り部セットの両側に組立てられ、且つ直交アングルを有する方形枠フレームに形成され、当該枠フレームのある側の適所に少なくとも二本の強化支柱同士が結合される取っ手枠フレームと、両端部が前記取っ手枠フレームに垂直延伸固定され、その垂直面に少なくとも一つの第二釘孔部を有し、固着用部材を前記第二釘孔部と前記座り部セットの第一釘孔部と第四釘孔部に挿入してから前記座り部セットとを連結するようになる強化支柱とを具備する、取っ手セットと、
前記座り部セットの後側に配置され、且つ四辺形の枠フレームに形成され、当該枠フレームのある側の適所に少なくとも二本の固定支柱同士が結合されるバック枠フレームと、中空状で厚みを有する支柱であり、前記バック枠フレームに垂直固定されると共に、その垂直延伸箇所に少なくとも一つの第三釘孔部を有し、固着用部材を前記第三釘孔部と前記座り部セットの第一釘孔部と第四釘孔部に挿入することによって座り部セットとの結合を実行する固定支柱とを具備する、バック・セットと、
リベットか、ねじ山有連結部材からなる連接部材である固着用部材と、
後述の下斜面塊の中空状円孔の内側を貫通後に、その上におけるねじ山部が後述の上斜面塊の中心箇所の雌ねじ山と螺合するボルトと、鉛直中心箇所に雌ねじ山が加工形成されると共に、後述の下斜面塊の傾斜する平面に対応配置される上斜面塊と、その斜面部が前記上斜面塊の傾斜する平面と相互に接触後に、その一側が前記座り部セットの後側に固定され、且つその鉛直中心箇所に中空状円孔を有する下斜面塊と、を含む緊密的迫り挿着ピン・セットと、を備えるソファー組立構造を提供する。
【０００８】
以下に添付図面を参照しながら本発明の好適な実施の形態を詳細的で具体的に説明するが、それらの具体的な構造は単に本発明の実施可能な実施例に過ぎず、本発明を狭義的に制限するものではないことが言うまでもないことである。
【０００９】
【発明の実施の形態】
図１に示すように、本発明によるソファー組立構造には、主に、座り部セット１と、取っ手セット２と、バック・セット３と、固着用部材４とを有し、そのうち、前記取っ手セット２の強化支柱２２１の垂直面が前記座り部セット１の左側と右側に結合されると共に、固着用部材４の通しによって取っ手セット２を前記座り部セット１に連結し、また、前記バック・セット３の固定支柱３２１が座り部セット１の後側に連結されると共に、固着用部材４の通しによってバック・セット３を座り部セット１に連結する。
【００１０】
図２に示すように、前記座り部セット１は転向固定塊１２１における方形体１２３によって前記二セットの対向辺部が平行で相同の長さを有する横ビーム１１１同士の方形通孔１１２の内側に嵌合され、転向固定塊１２１の第四釘孔部１２４を横ビーム１１１の第一釘孔部１１４に対応させ、且つ横ビーム１１１の第一釘孔部１１４としてパンチ加工やドリリング加工によって形成できるほか、パンチ加工してからドリリング加工を実施することによって形成してもよく、二つの隣り合わない横ビーム同士１１１が転向固定塊１２１の嵌合によって結合された後、同一の平面において一セットの四つの辺部を有すると共に、四つのアングルがすべて直交するアングルになる平行四辺形の座り部セット１を形成できるようになる。
【００１１】
座り部セット１が連接し終わると、取っ手枠フレーム２１１と強化支柱２２１の連結してなる取っ手セット２を座り部セット１の両側に配置し、取っ手セット２が強化支柱２２１の両端部によって取っ手枠フレーム２１１に垂直延伸固定され、強化支柱２２１の垂直面部に少なくとも一つの第二釘孔部２２２が形成され、固着用部材４を取っ手セット２の第二釘孔部２２２と座り部セット１の第一釘孔部１１４と第四釘孔部１２４に挿入後、取っ手セット２と座り部セット１とが結合されるようになり、また、固着用部材４としてリベットを使用する場合、当該リベットの一端部にヘッドを予め加工形成させ、他端が連結される部材の釘孔部に挿入され、その伸び出し段部がリベット・ヘッドになるように圧制加工され、それでリベットによる連結が完成される。また、固着用部材４としてねじ山ら合結合手段を採用する場合、連結される部材同士にはねじ山を加工形成する必要はなく、連結部材の材料のリミットを有しないので、単にねじ山が加工形成された一端を連結される部材同士の釘孔部に挿入するだけでボルト・ヘッドとナットとの両側で取り付けを実行すればよく、こうする場合では、取っ手を有するソファーが漸次的に成形されるようになる。
【００１２】
図３に示すように、前記転向固定塊１２１が横ビーム１１１の両端部の方形通孔１１２の内側に嵌め込まれる後に、固着用部材４を取っ手セット２の第二釘孔部２２２と横ビーム１１１の第一釘孔部１１４と第四釘孔部１２４に挿入後に、取っ手セット２と連結するようになる。このような作法は座り部セット１を他の方式によって組立てられるようになり、包装出荷の体積を縮小できる。
【００１３】
取っ手セット２と座り部セット１とが連結される後に、また、バック・セット３を前記座り部セット１の後側に配置し、当該バック・セット３が四辺形のバック部枠フレーム３１１と二本の固定支柱３２１同士とからなり、前記固定支柱３２１の垂直延伸箇所に第三釘孔部３２２が形成され、固着用部材４をバック・セット３の第三釘孔部３２２と座り部セット１の第一釘孔部１１４と第四釘孔部１２４に挿入後、バック・セット３を穏やかに座り部セット１に連結できるようになる。
【００１４】
また、前記バック・セット３は他の組立方式を採用でき、例えば、当該バック・セット３の固定支柱３２１の下端部の垂直延伸箇所の通孔内に座り部セット１の緊密的迫り挿着ピン・セット５を内嵌後に、当該緊密的迫り挿着ピン・セット５のボルト５１を旋回し、旋回時、上斜面塊５２が下斜面塊５３の傾斜する平面において下向きに滑走し、固定支柱３２１の下端部の通孔の内側を迫り、他の種のバック・セット３を座り部セット１に安定して固定する手段を提供する。
【００１５】
【発明の効果】
本発明によるソファー組立構造は、前記した先行技術や他の従来技術と相互に比較する場合に、さらに下記のような優れる点を有する。
１．構造簡素化
本発明の実施した改良構造の場合では、転向固定塊を二セットの対向辺部が平行で相同の長さを有する横ビームの方形通孔の内側に容易に嵌合できると共に、固着用部材による緊密的な連結作用を提供し、座り部セットを組立てることを簡素化することができる。
２．低コストで実用性に富む
本発明は、構造が簡単で、製造が容易で、低コストで、大量生産に利し、実用的価値に富んでいる。
【００１６】
前記に詳細に説明したのは本発明の実施可能な実施例を具体的に説明するものであるが、それらの実施例は本発明の請求の範囲を制限するためのものではなく、本発明の明細書と請求の範囲と図面に開示される技術要旨より逸脱しないいずれの改造や変更や一部転用などがすべて本発明の主張範囲内に納入されるべきことが言うまでもないことである。
【００１７】
前記に説明した通りに、本発明は空間の形態において明らかに新しい発明を有し、且つ従来物より前記に説明した複数の増進効果を有し、既に新規性と進歩性の法定の特許の要件を満足する。
【図面の簡単な説明】
【図１】本発明のソファー組立構造を示す組立斜視図である。
【図２】本発明のソファー組立構造を示す分解斜視図である。
【図３】本発明のソファー組立構造の一部の組立状態を示す組立斜視図である。
【図４】本発明のソファー組立構造の一部の組立状態を示す分解斜視図である。
【図５】本発明のソファー組立構造の他の実施の形態を示す一部断面図である。
【符号の説明】
１        座り部セット
２        取っ手セット
３        バック・セット
４        固着用部材
５        緊密的迫り挿着ピン・セット
５１      ボルト
５２      上斜面塊
５３      下斜面塊
１１１    横ビーム
１１２    方形通孔
１１４    第一釘孔部
１２１    転向固定塊
１２３    方形体
１２４    第四釘孔部
２１１    取っ手枠フレーム
２２１    強化支柱
２２２    第二釘孔部
３１１    バック部枠フレーム
３２１    固定支柱
３２２    第三釘孔部
【図１】
2004290270.tif 000003
【図２】
2004290270.tif 000004
【図３】
2004290270.tif 000005
【図４】
2004290270.tif 000006
【図５】
2004290270.tif 000007